(57)【要約】【課題】トリムボードに対するポケットバックカバーの組み付け性を向上させることができる。【解決手段】ドアトリム１０は、車両のドアパネルにクリップを介して組み付けられるトリムボード２０と、トリムボード２０の裏面に組み付けられて同トリムボード２０と共にドアポケットを形成するポケットバックカバー３０と、を備える。トリムボード２０の裏面にはクリップ座２４が突設されている。また、ポケットバックカバー３０には、クリップ座２４を囲む形状を有し、トリムボード２０に対してポケットバックカバー３０を組み付ける際にクリップ座２４に沿ってポケットバックカバー３０を案内する被案内部３４が形成されている。【選択図】図３
2015098257.tif 000002
【特許請求の範囲】
【請求項１】
車両のドアパネルに組み付けられるトリムボードと、前記トリムボードの裏面に組み付けられて同トリムボードと共にドアポケットを形成するポケットバックカバーと、を備えるドアトリムにおいて、
前記トリムボードの裏面には複数の異なる面からなる案内面が形成され、
前記ポケットバックカバーには、前記トリムボードへの同ポケットバックカバーの組み付けに先立ち、前記トリムボードの前記案内面に係合して組み付け方向が案内される被案内部が形成されている、
車両用ドアトリム。
【請求項２】
前記トリムボードの裏面には前記案内面を有するクリップ座が突設され、
前記被案内部は前記クリップ座を囲む門形状を有している、
請求項１に記載の車両用ドアトリム。
【請求項３】
前記トリムボードは前記ポケットバックカバーの底壁に対向する対向壁を有し、
前記クリップ座は前記トリムボードの前記対向壁上に形成され、
前記被案内部は、前記ポケットバックカバーの底壁の下面に突設され、前記クリップ座を上方及び側方から囲んでいる、
請求項２に記載の車両用ドアトリム。
【請求項４】
前記対向壁は前記トリムボードの下端から前記ドアパネルに向けて延びる立壁であり、
前記被案内部の下端は前記トリムボードの前記立壁に当接している、
請求項３に記載の車両用ドアトリム。
【請求項５】
請求項３又は請求項４に記載の車両用ドアトリムにおいて、
前記対向壁は前記トリムボードの下端から前記ドアパネルに向けて延びる立壁であり、
前記ポケットバックカバーの底壁の下面には、前記トリムボードの前記立壁に当接する当接部が形成されている、
車両用ドアトリム。
【発明の詳細な説明】
【技術分野】
【０００１】
本発明は、車両のドアパネルに組み付けられる車両用ドアトリムに関する。
【背景技術】
【０００２】
一般に車両のドアパネルにはドアトリムが組み付けられている。ドアトリムは、前記ドアパネルに組み付けられるトリムボードを備えている。また、ドアトリムには通常、小物などを収納するためのドアポケットが設けられている（例えば特許文献１参照）。
【０００３】
特許文献１に記載のドアトリムにおいては、トリムボードの裏面にポケットバックカバーが組み付けられており、トリムボードとポケットバックカバーとによってドアポケットが形成されている。すなわち、ポケットバックカバーの外周縁には、孔が形成された複数の取付片や、係止片が設けられている。また、トリムボードの裏面には、クリップ体や係止爪が設けられている。そして、各取付片の孔と各クリップ体とが嵌合され、各係止片と各係止爪とが嵌合されることによってトリムボードに対してポケットバックカバーが組み付けられている。
【先行技術文献】
【特許文献】
【０００４】
【特許文献１】特開平１１―２５５０３４号公報
【発明の概要】
【発明が解決しようとする課題】
【０００５】
ところで、特許文献１に記載のドアトリムにおいては、各クリップ体と各取付片とを嵌合させるとともに各係止爪と各係止片とを嵌合させる際に、これら全ての位置合せを行なう必要がある。そのため、ポケットバックカバーの組み付け作業が繁雑なものとなっている。
【０００６】
本発明の目的は、トリムボードに対するポケットバックカバーの組み付け性を向上させることができる車両用ドアトリムを提供することにある。
【課題を解決するための手段】
【０００７】
上記目的を達成するための車両用ドアトリムは、車両のドアパネルに組み付けられるトリムボードと、前記トリムボードの裏面に組み付けられて同トリムボードと共にドアポケットを形成するポケットバックカバーと、を備える。前記トリムボードの裏面には複数の異なる面からなる案内面が形成され、前記ポケットバックカバーには、前記トリムボードへの同ポケットバックカバーの組み付けに先立ち、前記トリムボードの前記案内面に係合して組み付け方向が案内される被案内部が形成されている。
【０００８】
同構成によれば、トリムボードへのポケットバックカバーの組み付けに先立ち、ポケットバックカバーの被案内部をトリムボードの案内面に係合させることにより、ポケットバックカバーの組み付け方向が案内される。このため、トリムボードとポケットバックカバーとの位置合せを容易に行なうことができる。
【０００９】
この場合、前記トリムボードの裏面には前記案内面を有するクリップ座が突設され、前記被案内部は前記クリップ座を囲む門形状を有している、といった態様が好ましい。
トリムボードの裏面には同トリムボードをクリップを介してドアパネルに組み付けるためのクリップ座が設けられている。上記態様によれば、クリップ座が案内面を有しているため、案内面を有する部位を新たに設けなくとも済む。
【００１０】
この場合、前記トリムボードは前記ポケットバックカバーの底壁に対向する対向壁を有し、前記クリップ座は前記トリムボードの前記対向壁上に形成され、前記被案内部は、前記ポケットバックカバーの底壁の下面に突設され、前記クリップ座を上方及び側方から囲んでいる、といった態様が好ましい。
【００１１】
同態様によれば、トリムボードへのポケットバックカバーの組み付けに先立ち、トリムボードに対するポケットバックカバーの側方及び下方への変位が被案内部によって規制される。このため、トリムボードとポケットバックカバーとの位置合せを容易に行なうことができる。
【００１２】
この場合、前記対向壁は前記トリムボードの下端から前記ドアパネルに向けて延びる立壁であり、前記被案内部の下端は前記トリムボードの前記立壁に当接している、といった態様が好ましい。
【００１３】
同態様によれば、被案内部の下端がトリムボードの立壁に当接していることで同立壁の剛性が高められる。このため、例えばドアトリムの搬送中においてトリムボードの立壁に外力が作用した際に同立壁が変形することを抑制することができる。
【００１４】
また、前記対向壁は前記トリムボードの下端から前記ドアパネルに向けて延びる立壁であり、前記ポケットバックカバーの底壁の下面には、前記トリムボードの前記立壁に当接する当接部が形成されている、といった態様が好ましい。
【００１５】
同態様によれば、当接部がトリムボードの立壁に当接していることで同立壁の剛性が高められる。このため、例えばドアトリムの搬送中においてトリムボードの立壁に外力が作用した際に同立壁が変形することを抑制することができる。この場合、被案内部の下端がトリムボードの立壁に当接している構成に適用すれば、被案内部及び当接部の双方によって同立壁の剛性を高めることができる。
【発明の効果】
【００１６】
本発明によれば、トリムボードに対するポケットバックカバーの組み付け性を向上させることができる。
【図面の簡単な説明】
【００１７】
【図１】一実施形態に係る車両用ドアトリムの正面図。
【図２】同実施形態のドアトリムの要部を裏側から視た斜視図。
【図３】同実施形態のドアトリムの分解斜視図。
【図４】図２の４−４線に沿った断面図。
【図５】図２の５−５線に沿った断面図。
【図６】図４の要部を拡大して示す断面図。
【図７】同実施形態のクリップ座及び被案内部を中心とした図。
【図８】変形例に係る車両用ドアトリムのクリップ座及び被案内部を中心とした図。
【発明を実施するための形態】
【００１８】
以下、図１〜図７を参照して、車両用ドアトリムを具体化した一実施形態について説明する。
図１、図４〜図６に示すように、ドアトリム１０は、車両のサイドドアのドアパネル５０に組み付けられるトリムボード２０を備えている。
【００１９】
図１〜図３に示すように、トリムボード２０は、ドアポケット１２のための開口２６やスピーカーグリル２８などが設けられたボード本体２１を備えている。図４及び図５に示すように、ボード本体２１はドアパネル５０と対向して配置されている。
【００２０】
図１〜図３に示すように、ボード本体２１の外周縁にはドアパネル５０に向けて延びる下側立壁２２ａ、上側立壁２２ｂ、前側立壁２２ｃ、及び後側立壁２２ｄが設けられている。
【００２１】
図２及び図３に示すように、下側立壁２２ａ及び後側立壁２２ｄ上には、クリップ４０を取り付けるための複数のクリップ座２４，２５が互いに離間して形成されている。なお、ここでは図示を省略するが、上側立壁２２ｂ及び前側立壁２２ｃ上にも上記クリップ座２４，２５と同様にしてクリップ座が形成されている。
【００２２】
図２〜図４、及び図６に示すように、クリップ座２４，２５は、下側立壁２２ａ上や後側立壁２２ｄ上にリブ２４ｅ，２５ｅを介して一体に形成されている。
図２、図３、図４、及び図６に示すように、上記開口２６の前後方向の中央部の直下に位置するクリップ座２４は、下側立壁２２ａから上方に突出するとともにボード本体２１の裏面から車幅方向外側に向けて延びる前後一対の側壁部２４ａと、これら側壁部２４ａの上端の間に位置するとともに一体形成された頂壁部２４ｂとを有している。側壁部２４ａの車幅方向外側の先端には座部２４ｃが設けられている。ここで、上記側壁部２４ａ及び頂壁部２４ｂの外面は、複数の異なる面からなる案内面を構成している。座部２４ｃには取付孔２４ｄが貫通されている。図４及び図６に示すように、上記座部２４ｃには上記取付孔２４ｄを通じてクリップ４０が取り付けられており、同クリップ４０を介してトリムボード２０がドアパネル５０に組み付けられる。
【００２３】
図１及び図２に示すように、トリムボード２０の裏面には上記開口２６を覆うポケットバックカバー３０が組み付けられており、ポケットバックカバー３０とトリムボード２０とによってドアポケット１２が形成されている。
【００２４】
図１〜図３に示すように、ポケットバックカバー３０は、ドアポケット１２の内壁をなす内壁部３１を備えている。また、図２及び図３に示すように、内壁部３１の下端には表側、すなわち同図の奥側に向けて延びる底壁３２が設けられている。従って、図４〜図６に示すように、上記底壁３２とトリムボード２０の下側立壁２２ａとは上下に対向して配置されている。
【００２５】
図２及び図３に示すように、ポケットバックカバー３０の外周縁にはフランジ３３が形成されており、同フランジ３３には複数の透孔３３ａが周方向において互いに離間して形成されている。ボード本体２１の裏面には、上記透孔３３ａに対応して複数のボス２７が突設されている。
【００２６】
図２、図３、及び図７に示すように、ポケットバックカバー３０の底壁３２の下面には、同底壁３２の下方に位置するクリップ座２４を上方及び前後方向から囲む門形状の被案内部３４が突設されている。すなわち、被案内部３４は、クリップ座２４の前方に隣接する前側規制部３４ａと、クリップ座２４の後方に隣接する後側規制部３４ｂと、クリップ座２４の上方に隣接するとともにこれら規制部３４ａ，３４ｂを連結する連結部３４ｃとを有している。そして、トリムボード２０へのポケットバックカバー３０の組み付けに先立ち、すなわちボス２７と透孔３３ａとを嵌合させるに先立ち、被案内部３４の各規制部３４ａ，３４ｂ、及び連結部３４ｃの内側面がクリップ座２４の側壁部２４ａ及び頂壁部２４ｂに係合されて案内されることによりポケットバックカバー３０が所定の組付位置に案内される。
【００２７】
このことにより、図２に示すように、トリムボード２０のボス２７にポケットバックカバー３０の透孔３３ａを外嵌させることによりトリムボード２０に対してポケットバックカバー３０が組み付けられる。なお、ボス２７の先端を熱カシメすることによって、トリムボード２０に対してポケットバックカバー３０が固着される。
【００２８】
図２及び図５に示すように、前側規制部３４ａの下端及び後側規制部３４ｂの下端はトリムボード２０の下側立壁２２ａに当接している。
また、図２及び図３に示すように、ポケットバックカバー３０の底壁３２の下面には、当接部３５が被案内部３４から前方に離間して突設されている。上記当接部３５の下端はトリムボード２０の下側立壁２２ａに当接している。
【００２９】
次に、本実施形態の作用について説明する。
トリムボード２０へのポケットバックカバー３０の組み付けに先立ち、すなわちボス２７と透孔３３ａとを嵌合させるに先立ち、ポケットバックカバー３０の被案内部３４をトリムボード２０のクリップ座２４の側壁部２４ａ及び頂壁部２４ｂの外側面に係合させることにより、ポケットバックカバー３０の組み付け方向が案内される。このため、トリムボード２０とポケットバックカバー３０との位置合せを容易に行なうことができ、ポケットバックカバー３０がトリムボード２０の所定の組付位置に円滑に案内される。従って、トリムボード２０の各ボス２７とポケットバックカバー３０の各透孔３３ａとの位置合せを容易に行なうことができる。
【００３０】
また、クリップ座２４はトリムボード２０をクリップ４０を介してドアパネル５０に組み付けるために設けられているため、ポケットバックカバー３０の案内のためにトリムボード２０に新たな構成を追加しなくとも済む。
【００３１】
また、被案内部３４の下端及び当接部３５の下端がトリムボード２０の下側立壁２２ａにそれぞれ当接することで同下側立壁２２ａの剛性が前後方向の広い範囲にわたって高められる。
【００３２】
以上説明した本実施形態に係る車両用ドアトリムによれば、以下に示す効果が得られるようになる。
（１）ドアトリム１０は、車両のドアパネル５０にクリップ４０を介して組み付けられるトリムボード２０と、トリムボード２０の裏面に組み付けられて同トリムボード２０と共にドアポケット１２を形成するポケットバックカバー３０と、を備える。トリムボード２０の裏面には複数の異なる面からなる案内面を有するクリップ座２４が突設されている。また、ポケットバックカバー３０には、クリップ座２４を囲む門形状を有し、トリムボード２０へのポケットバックカバー３０の組み付けに先立ち、トリムボード２０の案内面に係合して組み付け方向が案内される被案内部３４が形成されている。
【００３３】
こうした構成によれば、トリムボード２０へのポケットバックカバー３０の組み付けに先立ち、ポケットバックカバー３０の被案内部３４をトリムボード２０の案内面に係合させることにより、ポケットバックカバー３０の組み付け方向が案内される。このため、トリムボード２０とポケットバックカバー３０との位置合せを容易に行なうことができる。従って、トリムボード２０に対するポケットバックカバー３０の組み付け性を向上させることができる。
【００３４】
また、クリップ座２４はトリムボード２０をドアパネル５０に組み付けるために設けられているため、ポケットバックカバー３０の案内のためにトリムボード２０に新たな構成を追加しなくとも済む。
【００３５】
（２）トリムボード２０はポケットバックカバー３０の底壁３２に対向する対向壁としての下側立壁２２ａを有している。クリップ座２４はトリムボード２０の下側立壁２２ａ上に形成されている。被案内部３４は、ポケットバックカバー３０の底壁３２の下面に突設され、クリップ座２４の上方及び前後方向を囲む形状を有している。
【００３６】
こうした構成によれば、トリムボード２０へのポケットバックカバー３０の組み付けに先立ち、トリムボード２０に対するポケットバックカバー３０の側方及び下方への変位が被案内部３４によって規制される。このため、トリムボード２０とポケットバックカバー３０との位置合せを容易に行なうことができる。
【００３７】
（３）下側立壁２２ａはトリムボード２０の下端からドアパネル５０に向けて延びている。被案内部３４の下端はトリムボード２０の下側立壁２２ａを支持している。
こうした構成によれば、被案内部３４の下端がトリムボード２０の下側立壁２２ａに当接していることで同下側立壁２２ａの剛性が高められる。このため、例えばドアトリム１０の搬送中においてトリムボード２０の下側立壁２２ａに外力が作用した際に同下側立壁２２ａが変形することを抑制することができる。
【００３８】
（４）ポケットバックカバー３０の底壁３２の下面には、トリムボード２０の下側立壁２２ａに当接する当接部３５が被案内部３４から前方に離間して形成されている。
こうした構成によれば、被案内部３４の下端に加えて当接部３５によってトリムボード２０の下側立壁２２ａが支持されるため、同下側立壁２２ａの剛性を前後方向の広い範囲にわたって高めることができる。
【００３９】
なお、本発明に係る車両用ドアトリムは、上記実施形態にて例示した構成に限定されるものではなく、これを適宜変更した例えば次のような形態として実施することもできる。
・トリムボード２０に対するポケットバックカバー３０の固定態様は熱カシメによるものに限定されない。例えば、ねじやスナップフィットによってトリムボードに対してポケットバックカバーを固定することもできる。
【００４０】
・当接部３５を前後方向に２つ以上形成することもできる。また、当接部３５を省略することもできる。
・ポケットバックカバー３０の下方に複数のクリップ座が設けられている場合には、これらクリップ座に対応して被案内部を複数設けることもできる。この場合、各被案内部の下端がトリムボードの下側立壁に当接されるようにすればよい。またこの場合、当接部を省略することもできる。
【００４１】
・上記実施形態では、被案内部３４の下端がトリムボード２０の下側立壁２２ａに当接する構成について例示したが、被案内部の下端とトリムボードの下側立壁との間に隙間が形成されているものであってもよい。この場合、上記被案内部と上記下側立壁との間の間隔を小さく設定すれば、被案内部の下端によってトリムボードが変形することを抑制することができる。
【００４２】
・上記実施形態では、被案内部３４がトリムボード２０の下側立壁２２ａ上に突設されたクリップ座２４を囲むものとしたが、被案内部の形成位置はこれに限られるものではなく、前側立壁２２ｃ上や後側立壁２２ｄ上に突設されたクリップ座２５を囲むように門形状の被案内部を形成することもできる。
【００４３】
・上記実施形態では、被案内部３４をクリップ座２４を前後方向及び上方の三方から囲む門形状を有するものとしたが、これに代えて、例えば図８に示すように、ポケットバックカバー１３０に後側規制部１３４ｂ及び連結部１３４ｃを有する被案内部１３４を設け、前側規制部を省略することもできる。すなわち、クリップ座２４を後方及び上方の二方から囲む形状を有する被案内部１３４であってもよい。
【００４４】
・車両のバックドアのドアパネルに組み付けられるものとしてドアトリムを具体化することもできる。
【符号の説明】
【００４５】
１０…ドアトリム、１２…ドアポケット、２０…トリムボード、２１…ボード本体、２２ａ…下側立壁（対向壁）、２２ｂ…上側立壁、２２ｃ…前側立壁、２２ｄ…後側立壁、２４…クリップ座、２４ａ…側壁部（案内面）、２４ｂ…頂壁部（案内面）、２４ｃ…座部、２４ｄ…取付孔、２４ｅ…リブ、２５…クリップ座、２５ｅ…リブ、２６…開口、２７…ボス、２８…スピーカーグリル、３０，１３０…ポケットバックカバー、３１…内壁部、３２…底壁、３３…フランジ、３３ａ…透孔、３４，１３４…被案内部、３４ａ…前側規制部、３４ｂ，１３４ｂ…後側規制部、３４ｃ，１３４ｃ…連結部、３５…当接部、４０…クリップ、５０…ドアパネル。
【図１】
2015098257.tif 000003
【図２】
2015098257.tif 000004
【図３】
2015098257.tif 000005
【図４】
2015098257.tif 000006
【図５】
2015098257.tif 000007
【図６】
2015098257.tif 000008
【図７】
2015098257.tif 000009
【図８】
2015098257.tif 000010